(57)【要約】【課題】コストを増加させることなく、複数の被制御機器の中から操作対象のものを選択するユーザの作業を簡略化すること。【解決手段】受信周波数指示部３０２は、最初に第１周波数（5GHz）で復調するように周波数シンセサイザ３５３に指示し、ＩＤ情報が検出された全ての被制御機器を示すメニューボタンを表示させた状態で、ユーザから他の被制御機器を選択することを指示された場合に、第２周波数（920MHz）で復調するように周波数シンセサイザ３５３に指示する。【選択図】図４
2014179670.tif 000002
【特許請求の範囲】
【請求項１】
複数の被制御機器と無線通信を行い、特定された被制御機器を制御する情報機器であって、
復調対象の無線信号を指示するパラメータ指示手段と、
電波の特性が距離に依存するパラメータが異なる複数の無線信号を前記各被制御機器から受信し、指示された無線信号を復調する無線通信手段と、
復調された前記無線信号に含まれるＩＤ情報を検出するＩＤ検出手段と、
前記ＩＤ情報に対応する前記被制御機器を画面に表示させる表示制御手段と、
を具備し、
前記パラメータ指示手段は、電波特性の距離に対する依存度が高いパラメータの無線信号から順に復調するように指示する、
情報機器。
【請求項２】
前記パラメータは周波数であり、
前記パラメータ指示手段は、周波数の高い無線信号から順に復調するように指示する、
請求項１に記載の情報機器。
【請求項３】
前記パラメータは伝送レートであり、
前記パラメータ指示手段は、伝送レートの高い無線信号から順に復調するように指示する、
請求項１に記載の情報機器。
【請求項４】
前記パラメータは電界強度であり、
前記パラメータ指示手段は、電界強度の低い無線信号から順に復調するように指示する、
請求項１に記載の情報機器。
【請求項５】
前記パラメータ指示手段は、
前記被制御機器を画面に表示させた状態で、ユーザから他の被制御機器を選択することを指示された場合に、次の復調対象の無線信号を指示する、
請求項１から４のいずれか一項に記載の情報機器。
【請求項６】
請求項１から４のいずれか一項に記載の情報機器に対して、電波の特性が距離に依存するパラメータが異なる複数の無線信号を送信する、
被制御機器。
【請求項７】
電波の特性が距離に依存するパラメータが異なる複数の無線信号を送信する複数の被制御機器と、
前記複数の被制御機器と無線通信を行い、特定された被制御機器を制御する情報機器と、
を有し、
前記情報機器は、
電波特性の距離に対する依存度が高いパラメータの無線信号から順に復調し、復調された前記無線信号に含まれるＩＤ情報に対応する前記被制御機器を画面に表示させる、
無線通信システム。
【請求項８】
複数の被制御機器と無線通信を行い、特定された被制御機器を制御する情報機器における被制御機器の選定方法であって、
電波特性の距離に対する依存度が高いパラメータの無線信号から順に復調するように、復調対象の無線信号を指示するステップと、
電波の特性が距離に依存するパラメータが異なる複数の無線信号を前記各被制御機器から受信し、指示された無線信号を復調するステップと、
復調された前記無線信号に含まれるＩＤ情報を検出するステップと、
前記ＩＤ情報に対応する前記被制御機器を画面に表示させるステップと、
を具備する被制御機器の選定方法。
【発明の詳細な説明】
【技術分野】
【０００１】
本発明は、情報機器、被制御機器、無線通信システムおよび被制御機器の選定方法に関する。
【背景技術】
【０００２】
テレビジョン（テレビ）、エアコンディショナ（エアコン）等の被制御機器は、当該被制機器に付属したリモートコントローラ（リモコン）に代表される特定の制御機器を用いた遠隔操作により制御されることが一般的である。
【０００３】
現在では、宅内に複数の被制御機器が設置されていることが一般的となっている。多くの被制御機器に対して別個の制御機器を操作することはユーザにとって煩雑である。
【０００４】
近年、無線で他の機器と通信可能なスマートフォン等の情報機器が普及していることから、情報機器にリモコンの機能を持たせ、１つの情報機器により複数の被制御機器を制御する技術が開発されている。この場合、ユーザは、制御を行う前に、情報機器により操作対象の被制御機器を特定する必要がある。
【０００５】
特許文献１には、予め各被制御機器の周辺画像を当該被制御機器と関連付けて情報機器に記憶させ、特定の被制御機器を操作する際に、当該情報機器により操作対象の被制御機器の周辺を撮像し、当該情報機器が、記憶した画像と撮像した画像とを比較して操作対象の被制御機器を特定する技術が開示されている。
【先行技術文献】
【特許文献】
【０００６】
【特許文献１】特開２０１２−１１９９３５号公報
【発明の概要】
【発明が解決しようとする課題】
【０００７】
しかしながら、上記特許文献１に記載された従来技術では、情報機器が被制御機器を特定するために、記憶した画像と撮像した画像とを比較する処理が必要となるため、情報機器のコストを増加させてしまう。
【０００８】
本発明の目的は、１つの情報機器により複数の被制御機器を制御する場合において、情報機器のコストを増加させることなく、複数の被制御機器の中から操作対象のものを選択するユーザの作業を簡略化することである。
【課題を解決するための手段】
【０００９】
本発明の情報機器は、複数の被制御機器と無線通信を行い、特定された被制御機器を制御する情報機器であって、復調対象の無線信号を指示するパラメータ指示手段と、電波の特性が距離に依存するパラメータが異なる複数の無線信号を前記各被制御機器から受信し、指示された無線信号を復調する無線通信手段と、復調された前記無線信号に含まれるＩＤ情報を検出するＩＤ検出手段と、前記ＩＤ情報に対応する前記被制御機器を画面に表示させる表示制御手段と、を具備し、前記パラメータ指示手段は、電波特性の距離に対する依存度が高いパラメータの無線信号から順に復調するように指示する、構成を採る。
【００１０】
本発明の被制御機器の選定方法は、複数の被制御機器と無線通信を行い、特定された被制御機器を制御する情報機器における被制御機器の選定方法であって、電波特性の距離に対する依存度が高いパラメータの無線信号から順に復調するように、復調対象の無線信号を指示するステップと、電波の特性が距離に依存するパラメータが異なる複数の無線信号を前記各被制御機器から受信し、指示された無線信号を復調するステップと、復調された前記無線信号に含まれるＩＤ情報を検出するステップと、前記ＩＤ情報に対応する前記被制御機器を画面に表示させるステップと、を具備する。
【発明の効果】
【００１１】
本発明によれば、電波特性の距離に対する依存度が高いパラメータの無線信号から順に復調することにより、１つの情報機器により複数の被制御機器を制御する場合において、情報機器のコストを増加させることなく、複数の被制御機器の中から操作対象のものを選択するユーザの作業を簡略化することができる。
【図面の簡単な説明】
【００１２】
【図１】本発明の一実施の形態に係る無線通信システムの構成を示す図
【図２】本発明の一実施の形態に係るスマートフォンの構成を示すブロック図
【図３】本発明の一実施の形態に係るエアコンの構成を示すブロック図
【図４】本発明の一実施の形態に係るスマートフォンの制御部の機能および無線通信部の内部構成を示すブロック図
【図５】本発明の一実施の形態に係るスマートフォンの表示画面の一例を示す図
【図６】本発明の一実施の形態に係るスマートフォンの表示画面の一例を示す図
【図７】本発明の一実施の形態に係るスマートフォンの表示画面の一例を示す図
【図８】本発明の一実施の形態に係るスマートフォンの表示画面の一例を示す図
【図９】本発明の一実施の形態に係るスマートフォンの動作を示すフロー図
【発明を実施するための形態】
【００１３】
以下、本発明の実施の形態について、添付図面を参照して詳細に説明する。なお、各実施の形態では、情報機器として、スマートフォンを用いる場合について説明する。
【００１４】
図１は、本発明の一実施の形態に係る無線通信システムの構成を示す図である。図１に示すように、無線通信システムは、１つのスマートフォン１００と、複数の被制御機器２００と、から構成される。図１の例では、被制御機器２００の例として、エアコン（室内機のみ図示）２００−１、２００−２、２００−３およびテレビ２００−４が宅内に設置されている。
【００１５】
本実施の形態において、各被制御機器２００は、所定の閾値（例えば2GHz）より高い第１周波数（例えば5GHz）の第１信号と、当該閾値より低い第２周波数（例えば920MHz）の第２信号とをスマートフォン１００に送信する。
【００１６】
スマートフォン１００は、第１信号、第２信号に載せられた各被制御機器２００のＩＤ（Identification）情報を用いて、操作対象候補となる被制御機器２００を特定する。そして、スマートフォン１００は、最終的にユーザによって指示された操作対象の被制御機器２００に制御信号を送信する。
【００１７】
操作対象となった被制御機器２００は、スマートフォン１００からの制御信号に基づいて所定の処理を行う。例えば、エアコン２００−１は、スマートフォン１００からの制御信号に従って、電源のＯＮ／ＯＦＦ、運転モード（暖房、冷房、除湿）の切り替え、風向、風量の調節等の制御を行い、室温が設定温度となるように空調運転を行う。
【００１８】
図２は、本発明の一実施の形態に係るスマートフォン１００の構成を示すブロック図である。スマートフォン１００は、制御部１０１と、ＧＰＳ受信部１０２と、表示部１０３と、操作部１０４と、コネクタ部１０５と、記憶部１０６と、音声入力部１０７と、音声出力部１０８と、無線通信部１０９と、から主に構成される。
【００１９】
制御部１０１は、ＣＰＵ（Central Processing Unit）又はＭＰＵ（Micro-Processor Unit）等の演算処理装置で構成され、記憶部１０６に予め記憶されたアプリケーションプログラムを読み出して実行することにより、音声通話に係る処理、電子メールの送受信に係る処理等の種々の処理を行う。また、制御部１０１は、無線通信部１０９に受信された第１信号、第２信号に載せられた各被制御機器２００のＩＤ情報を用いて、操作対象候補となる被制御機器２００を特定する。なお、本発明に関わる制御部１０１の機能の詳細については後述する。
【００２０】
ＧＰＳ（Global Positioning System）受信部１０２は、複数のＧＰＳ衛星から送信されるＧＰＳ信号を受信し、受信した情報を制御部１０１に出力する。制御部１０１は、ＧＰＳ受信部１０２にて受信したＧＰＳ信号に基づいて、スマートフォン１００の位置（緯度及び経度等）を特定する処理を行う。
【００２１】
表示部１０３は、例えば２インチ〜５インチ程度の小型の液晶パネル又はＰＤＰ（Plasma Display Panel）等であり、制御部１０１から出力される画像信号に基づいた画像の表示を行う。これによりスマートフォン１００は、操作補助のためのメニュー若しくはアイコン等の表示、送受信する電子メールの表示、又は、カーナビゲーション機能による経路案内のための地図画像等を表示部１０３に表示させることができる。
【００２２】
操作部１０４は、表示部１０３の表示面に対する接触操作を検知するタッチパネル、又は、スマートフォン１００の筐体に設けられたプッシュスイッチ若しくはダイヤルスイッチ等であり、ユーザの指示を電気信号に変換して制御部１０１に出力する。
【００２３】
コネクタ部１０５は、他の機器と接続するための複数の端子を有し、他の機器に接続されたケーブルのコネクタに設けられた複数の端子との嵌合により他の機器と電気的に接続される。コネクタ部１０５は、制御部１０１から出力された情報を他の機器へ送信すると共に、他の機器から受信した情報を制御部１０１に出力する。
【００２４】
記憶部１０６は、フラッシュメモリ又はハードディスク等により構成される。記憶部１０６には、制御部１０１が実行するアプリケーションプログラムと、このアプリケーションプログラムの実行に必要なデータとが予め記憶されている。
【００２５】
音声入力部１０７は、いわゆるマイクであり、ユーザが発した音声を電気信号に変換して制御部１０１に出力する。音声出力部１０８は、いわゆるスピーカであり、制御部１０１から出力された電気信号を音声に変換して出力する。
【００２６】
無線通信部１０９は、携帯電話網又は公衆無線ＬＡＮ等のような公衆の無線通信網を介した無線通信を行う。さらに、無線通信部１０９は、被制御機器２００との間で無線通信を行う。なお、本発明に関わる無線通信部１０９の内部構成の詳細については後述する。
【００２７】
図３は、本実施の形態に係る被制御機器２００の一例であるエアコン２００−１の構成を示すブロック図である。なお、エアコン２００−１は、室内機と室外機とから構成されているが、図３では、室内機のみを図示する。エアコン２００−１は、制御部２０１と、無線通信部２０２と、記憶部２０３と、表示部２０４と、室温センサ２０５と、空調運転実行部２０６と、から主に構成される。
【００２８】
制御部２０１は、スマートフォン１００からの制御信号によって指示された運転モードや設定温度を記憶部２０３に記憶させ、表示部２０４に表示させる。制御部２０１は、室温センサ２０５で検知した室温が設定温度となるように、空調運転実行部２０６に運転モードに応じた空調運転を実施させる。また、制御部２０１は、自器のＩＤ情報を無線通信部２０２に出力する。
【００２９】
無線通信部２０２は、スマートフォン１００から送信された無線周波数の制御信号を受信し、ベースバンド信号に変換して制御部２０１に出力する。また、無線通信部２０２は、ＩＤ情報を第１信号および第２信号に載せてスマートフォン１００に送信する。
【００３０】
記憶部２０３は、ＲＯＭ（Read-Only Memory）およびＲＡＭ（Random Access Memory）であり、制御部２０１が実行するプログラム、制御部２０１が処理するデータ等を記憶する。
【００３１】
表示部２０４は、室温、設定温度、運転モード等を表示する。室温センサ２０５は、常時、室温を検知する。
【００３２】
空調運転実行部２０６は、熱交換器、送風ファンモータ、ステッピングモータ等を有し、制御部２０１の指示に基づいて、風向、風量の調節を行い、室温が設定温度となるように空調運転を行う。
【００３３】
次に、本発明に関わる、制御部１０１の機能の詳細および無線通信部１０９の内部構成の詳細について、図４を用いて説明する。
【００３４】
図４に示すように、制御部１０１は、指示内容解析部３０１と、受信周波数指示部３０２と、ＩＤ検出部３０３と、表示制御部３０４と、信号生成部３０５と、を有している。無線通信部１０９は、アンテナ３５１と、混合器３５２と、周波数シンセサイザ３５３と、Ａ／Ｄコンバータ（アナログ／デジタル変換器）３５４と、復調器３５５と、を有している。また、無線通信部１０９は、変調器３６１と、Ｄ／Ａコンバータ（デジタル／アナログ変換器）３６２と、周波数シンセサイザ３６３と、混合器３６４と、を有している。
【００３５】
指示内容解析部３０１は、操作部１０４から出力された電気信号から、ユーザの指示内容を解析する。指示内容解析部３０１は、電気信号が被制御機器２００の制御を要求するものである場合、当該電気信号を受信周波数指示部３０２に出力する。指示内容解析部３０１は、電気信号が被制御機器２００のいずれかを指定するものである場合、当該電気信号を表示制御部３０４に出力する。指示内容解析部３０１は、電気信号が操作対象の被制御機器２００に対する制御内容を指示するものである場合、当該電気信号を信号生成部３０５に出力する。
【００３６】
受信周波数指示部３０２は、指示内容解析部３０１から、被制御機器２００の制御を要求する最初の電気信号を入力した場合、第１周波数で復調するように、無線通信部１０９の周波数シンセサイザ３５３に指示する。また、受信周波数指示部３０２は、指示内容解析部３０１から、被制御機器２００の制御を要求する２回目の電気信号を入力した場合、第２周波数で復調するように、無線通信部１０９の周波数シンセサイザ３５３、３６３に指示する。
【００３７】
ＩＤ検出部３０３は、無線通信部１０９の復調器３５５の出力信号から、被制御機器２００のＩＤ情報を検出し、ＩＤ情報に対応する被制御機器２００を示す情報を表示制御部３０４および信号生成部３０５に出力する。
【００３８】
表示制御部３０４は、表示部１０３に表示させる画面を制御する。具体的には、表示制御部３０４は、初期画面として、図５に示すような各種機能のメニューボタンを含むメニュー画面を表示させる。また、表示制御部３０４は、ＩＤ検出部３０３から被制御機器２００を示す情報を入力した場合、図６、図７に示すように、ＩＤ情報が検出された全ての被制御機器２００を示すメニューボタンを含むメニュー画面を表示させる。また、表示制御部３０４は、指示内容解析部３０１から被制御機器２００を指定する電気信号を入力した場合、当該被制御機器２００を操作するための画面を表示させる。例えば、指定された被制御機器２００がエアコン２００−１である場合、図８に示すように、エアコンのリモコンに似たメニューボタン、アイコンを表示させる。
【００３９】
信号生成部３０５は、指示内容解析部３０１から、操作対象の被制御機器２００に対する制御内容を指示する電気信号を入力した場合、ＩＤ検出部３０３から出力された当該操作対象の被制御機器２００のＩＤ情報と、制御内容を示す情報とを含む制御信号を無線通信部１０９の変調器３６１に出力する。
【００４０】
アンテナ３５１は、各被制御機器２００から送信された無線信号を受信し、混合器３５２に出力する。また、アンテナ３５１は、混合器３６４から出力され、かつ図示しない増幅器によって増幅された無線信号を被制御機器２００に向けて送信する。
【００４１】
混合器３５２は、アンテナ３５１により受信され、かつ図示しない増幅器によって増幅された無線信号と、周波数シンセサイザ３５３からのローカル信号とを混合して中間周波数（ＩＦ）のアナログ信号を生成し、Ａ／Ｄコンバータ３５４に出力する。
【００４２】
周波数シンセサイザ３５３は、受信周波数指示部３０２の指示に基づく周波数のローカル信号を混合器３５２に出力する。
【００４３】
Ａ／Ｄコンバータ３５４は、混合器３５２から出力されたアナログ信号をデジタル信号に変換し、復調器３５５に出力する。復調器３５５は、Ａ／Ｄコンバータ３５４から出力されたデジタル信号を復号し、ＩＤ検出部３０３に出力する。
【００４４】
変調器３６１は、信号生成部３０５から出力された制御信号を変調し、Ｄ／Ａコンバータ３６２に出力する。Ｄ／Ａコンバータ３６２は、変調器３６１から出力されたデジタル信号をアナログ信号に変換し、混合器３６４に出力する。
【００４５】
周波数シンセサイザ３６３は、受信周波数指示部３０２の指示に基づく周波数のローカル信号を混合器３６４に出力する。
【００４６】
混合器３６４は、Ｄ／Ａコンバータ３６２から出力されたアナログ信号と、周波数シンセサイザ３６３からのローカル信号とを混合して無線信号を生成し、アンテナ３５１に出力する。
【００４７】
次に、本実施の形態に係るスマートフォン１００の表示部１０３の画面の一例である図５から図８について説明する。
【００４８】
図５は、スマートフォン１００に搭載された各種機能のメニューボタンを含むメニュー画面の一例を示す図である。図５の例では、電話メニューボタン４０１、メールメニューボタン４０２、カメラメニューボタン４０３、インターネットメニューボタン４０４、リモコンメニューボタン４０５が表示されている。この状態で、ユーザが、いずれかのメニューボタンにタッチすると、対応する機能が実行され、表示部１０３の画面が切り替わる。
【００４９】
図５において、ユーザがリモコンメニューボタン４０５をタッチした場合、スマートフォン１００は、各被制御機器２００からの信号を第１周波数で復調し、ＩＤ情報を検出する。そして、スマートフォン１００は、図６に示すように、ＩＤ情報が検出された全ての被制御機器２００を示すメニューボタンを含むメニュー画面を表示させる。
【００５０】
ここで、無線信号には、周波数が高い程、通信距離が短くなるという特性がある。所定の閾値より高い第１周波数（5GHz）の第１信号は、スマートフォン１００と同じ部屋にある被制御機器２００（エアコン２００−１、テレビ２００−４）からのものしか、十分な電波強度でスマートフォン１００に届かない。
【００５１】
したがって、図６の例では、対象機器選択リストとして、テレビ２００−４を示すメニューボタン（テレビＡ）５０１、エアコン２００−１を示すメニューボタン（エアコンＡ）５０２のみが表示される。また、図６の例では、ユーザが他の被制御機器２００を選択できるように、「他の機器を選択」というメニューボタン５１１が表示される。
【００５２】
図６において、ユーザが「他の機器を選択」というメニューボタン５１１をタッチした場合、スマートフォン１００は、各被制御機器２００からの信号を第２周波数で復調し、ＩＤ情報を検出する。そして、スマートフォン１００は、図７に示すように、ＩＤ情報が検出された全ての被制御機器２００を示すメニューボタンを含むメニュー画面を表示させる。
【００５３】
所定の閾値より低い第２周波数（920MHz）の第２信号は、宅内にある全ての被制御機器２００（エアコン２００−１、２００−２、２００−３、テレビ２００−４）からのものが、十分な電波強度でスマートフォン１００に届く。
【００５４】
したがって、図７の例では、対象機器選択リストとして、メニューボタン（テレビＡ）５０１、メニューボタン（エアコンＡ）５０２、エアコン２００−２を示すメニューボタン（エアコンＢ）５０３、エアコン２００−３を示すメニューボタン（エアコンＣ）５０４、が表示される。
【００５５】
図６または図７において、ユーザが「エアコンＡ」というメニューボタン５０２をタッチした場合、スマートフォン１００は、図８に示すように、エアコンのリモコンに似たメニューボタン、アイコンを表示させる。なお、図７において、ユーザが「戻る」というメニューボタン５１２をタッチした場合、スマートフォン１００の画面は、図５のものに戻る。
【００５６】
図８の例では、設定温度調整ボタン６０１と、風量制御ボタン６０２と、上下風向ボタン６０３と、左右風向ボタン６０４と、冷房ボタン６０５と、自動運転ボタン６０６と、暖房ボタン６０７と、除菌ボタン６０８と、停止ボタン６０９と、除湿ボタン６１０とが設けられている。また、温度表示部６１１には、現在の設定温度が表示される。
【００５７】
殆どの場合、ユーザが操作する被制御機器２００は、目の前にあるもの、すなわち同じ部屋にあるものである。スマートフォン１００は、最初に、第１周波数（5GHz）の第１信号を受信することにより、操作対象として選択される可能性が高い被制御機器２００のみを表示することができる。したがって、ユーザは、複数の被制御機器２００の中から操作対象のものを選択する作業を簡略化することができる。
【００５８】
次に、スマートフォン１００の動作について図９を用いて説明する。なお、図９のスタート時において、スマートフォン１００の表示部１０３には、図５の画面が示されているものとする。
【００５９】
図５のメニューの中から、ユーザが、リモコンメニューボタン４０５にタッチした場合（ＳＴ７０１：ＹＥＳ）、スマートフォン１００は、各被制御機器２００から第１周波数で送信された第１信号を受信し（ＳＴ７０２）、ＩＤ情報を検出する（ＳＴ７０３）。そして、スマートフォン１００は、図６に示すように、検出したＩＤ情報に対応する全ての被制御機器２００を示すメニューボタンを含むメニュー画面を表示させる（ＳＴ７０４）。なお、図５のメニューの中から、ユーザが、リモコンメニューボタン４０５以外のメニューボタンにタッチした場合（ＳＴ７０１：ＮＯ）、スマートフォン１００は、他の機能を実行する。
【００６０】
その後、ユーザが、いずれかの被制御機器２００を示すメニューボタンにタッチした場合（ＳＴ７０５：ＹＥＳ）、スマートフォン１００は、図８に示すように、選択された被制御機器２００のリモコンに似たメニューボタン、アイコンを表示させる（ＳＴ７１０）。
【００６１】
一方、ユーザが、いずれの被制御機器２００を示すメニューボタンにもタッチせず、「他の機器を選択」というメニューボタン５１１をタッチした場合（ＳＴ７０５：ＮＯ）、スマートフォン１００は、各被制御機器２００から第２周波数で送信された第２信号を受信し（ＳＴ７０６）、ＩＤ情報を検出する（ＳＴ７０７）。そして、スマートフォン１００は、図７に示すように、検出したＩＤ情報に対応する全ての被制御機器２００を示すメニューボタンを含むメニュー画面を表示させる（ＳＴ７０８）。
【００６２】
その後、ユーザが、いずれかの被制御機器２００を示すメニューボタンにタッチした場合（ＳＴ７０９：ＹＥＳ）、スマートフォン１００は、図８に示すように、選択された被制御機器２００のリモコンに似たメニューボタン、アイコンを表示させる（ＳＴ７１０）。なお、ユーザが、「戻る」というメニューボタン５１２をタッチした場合（ＳＴ７０９：ＮＯ）、スマートフォン１００は、図５の画面を表示させる（ＳＴ７０１に戻る）。
【００６３】
ＳＴ７１０において、スマートフォン１００は、ユーザから被制御機器２００の操作を受け付けた場合（ＳＴ７１１：ＹＥＳ）、操作内容を示す制御信号を生成し（ＳＴ７１２）、被制御機器２００に対して制御信号を送信する（ＳＴ７１３）。以降、ユーザが操作を終了するまで、スマートフォン１００は、ＳＴ７１１からＳＴ７１３までの処理を繰り返す（ＳＴ７１４）。
【００６４】
以上のように、本実施の形態によれば、周波数の高い無線信号から順に復調することにより、１つの情報機器により複数の被制御機器を制御する場合において、情報機器のコストを増加させることなく、複数の被制御機器の中から操作対象のものを選択するユーザの作業を簡略化することができる。
【００６５】
なお、上記実施の形態では、各被制御機器２００がランダムなタイミングで第１信号、第２信号を送信することにより、第１信号同士あるいは第２信号同士が衝突する確率を下げることができる。
【００６６】
また、上記実施の形態では、各被制御機器２００が周波数の異なる２種類の無線信号（第１信号、第２信号）を送信する場合について説明したが、本発明はこれに限られず３種類以上の無線信号を送信するようにしても良い。この場合、スマートフォン１００は、周波数の高い順に無線信号を復調する。また、本発明は、周波数以外の、電波特性が距離に依存するパラメータを用いても良い。当該パラメータには、伝送レート、電界強度等がある。スマートフォン１００は、電波特性の距離に対する依存度が高いパラメータの無線信号から復調する。例えば、パラメータが伝送レートの場合、スマートフォン１００は、最初に伝送レートの最も高い無線信号を復調する。また、パラメータが電界強度の場合、スマートフォン１００は、最初に電界強度の最も低い無線信号を復調する。
【産業上の利用可能性】
【００６７】
本発明は、１つの情報機器により複数の被制御機器を制御する無線通信システムに用いるのに好適である。
【符号の説明】
【００６８】
１００  スマートフォン
１０１  制御部
１０３  表示部
１０４  操作部
１０９  無線通信部
２００  被制御機器
２００−１、２００−２、２００−３  エアコン
２００−４  テレビ
２０１  制御部
２０２  無線通信部
３０１  指示内容解析部
３０２  受信周波数指示部
３０３  ＩＤ検出部
３０４  表示制御部
３０５  信号生成部
３５１  アンテナ
３５２  混合器
３５３  周波数シンセサイザ
３５４  Ａ／Ｄコンバータ
３５５  復調器
３６１  変調器
３６２  Ｄ／Ａコンバータ
３６３  周波数シンセサイザ
３６４  混合器
【図１】
2014179670.tif 000003
【図２】
2014179670.tif 000004
【図３】
2014179670.tif 000005
【図４】
2014179670.tif 000006
【図５】
2014179670.tif 000007
【図６】
2014179670.tif 000008
【図７】
2014179670.tif 000009
【図８】
2014179670.tif 000010
【図９】
2014179670.tif 000011